(57)【要約】空気入りタイヤ(10)の外径をOD、空気入りタイヤ(10)に組み付けられるリムホイール(100)のリム幅をRW、空気入りタイヤ(10)のタイヤ幅をSW、リムホイール(100)のリム径をRDとした場合、ODは、350mm以上、600mm以下であり、0.78≦RW/SW≦0.99、及び0.56≦RD/OD≦0.75の関係を満たす。
2020122169.tif 000002
【特許請求の範囲】
【請求項１】
車両に装着される空気入りタイヤであって、
前記空気入りタイヤの外径をOD、
前記空気入りタイヤに組み付けられるリムホイールのリム幅をRW、
前記空気入りタイヤのタイヤ幅をSW、
前記リムホイールのリム径をRDとした場合、
前記ODは、350mm以上、600mm以下であり、
0.78≦RW/SW≦0.99、及び
0.56≦RD/OD≦0.75
の関係を満たす空気入りタイヤ。
【請求項２】
前記RDは、12インチ以上、17.5インチ以下である請求項１に記載の空気入りタイヤ。
【請求項３】
前記SWは、125mm以上、255mm以下である請求項１または２に記載の空気入りタイヤ。
【請求項４】
前記空気入りタイヤの偏平率は、35%以上、75%以下である請求項１乃至３の何れか一項
に記載の空気入りタイヤ。
【発明の詳細な説明】
【技術分野】
【０００１】
本発明は、耐荷重能力を高めた小径の空気入りタイヤに関する。
【背景技術】
【０００２】
従来、耐荷重能力（最大負荷能力）を高めつつ小径化された空気入りタイヤが知られている（特許文献１参照）。このような空気入りタイヤによれば、特に、小型車両の省スペース化が図れ、広い乗車スペースが確保できるとされている。
【先行技術文献】
【特許文献】
【０００３】
【特許文献１】特開2018-138435号公報
【発明の概要】
【０００４】
近年、都市内での人や物などの輸送に主眼を置いた新たな小型シャトルバスが提案されている。このような小型シャトルバスは、全長5m、全幅2m程度であり、車両総重量も3tを超える場合も想定されている。このような小型シャトルバスに装着される空気入りタイヤに対しても、省スペース化が求められている。
【０００５】
また、このような小型シャトルバスに装着される空気入りタイヤは、上述したような従来の小径タイヤとは比較にならない程、高い耐荷重能力が必要となる。
【０００６】
さらに、時代の趨勢から電気モータ、特にインホイールモーターをパワーユニットとして用いることが想定されるため、タイヤの外径を抑えつつ、タイヤのリム径を大きくしたい要求もある。
【０００７】
そこで、本発明は、このような状況に鑑みてなされたものであり、さらに高い耐荷重能力を有しつつ、高いスペース効率を達成し得る空気入りタイヤの提供を目的とする。
【０００８】
本発明の一態様は、車両（車両1）に装着される空気入りタイヤ（空気入りタイヤ10）であって、前記空気入りタイヤの外径をOD、前記空気入りタイヤに組み付けられるリムホイール（リムホイール100）のリム幅をRW、前記空気入りタイヤのタイヤ幅をSW、前記リムホイールのリム径をRDとした場合、前記ODは、350mm以上、600mm以下であり、0.78≦RW/SW≦0.99、及び0.56≦RD/OD≦0.75の関係を満たす。
【図面の簡単な説明】
【０００９】
【図１】図１は、空気入りタイヤ10が装着される車両1の全体概略側面図である。
【図２】図２は、空気入りタイヤ10及びリムホイール100の断面図である。
【図３】図３は、空気入りタイヤ10の単体断面図である。
【図４】図４は、タイヤ形状（タイヤ外径OD及びタイヤ幅SW）と、リムホイール形状（リム径RD及びリム幅RW）との組合せに基づく典型的なタイヤサイズのポジショニングを示す図である。
【図５】図５は、変更例に係る空気入りタイヤ10Aの断面図である。
【図６Ａ】図６Ａは、製造途中におけるベルト層50Aの単体斜視図である。
【図６Ｂ】図６Ｂは、製造後におけるベルト層50Aの単体斜視図である。
【図７】図７は、空気入りタイヤ10Aに備えられるカーカス40の一部斜視図である。
【図８】図８は、カーカスコード40aの断面形状を模式的に示す図である。
【図９】図９は、他の変更例に係る空気入りタイヤ10Bの断面図である。
【発明を実施するための形態】
【００１０】
以下、実施形態を図面に基づいて説明する。なお、同一の機能や構成には、同一または類似の符号を付して、その説明を適宜省略する。
【００１１】
（１）空気入りタイヤが装着される車両の概略構成
図１は、本実施形態に係る空気入りタイヤ10が装着される車両1の全体概略側面図である。図１に示すように、本実施形態では、車両1は、４輪自動車である。なお、車両1は、４輪に限定されず、６輪構成或いは８輪構成などであってもよい。
【００１２】
車両1は、車輪構成に応じて、所定数の空気入りタイヤ10が装着される。具体的には、車両1には、リムホイール100に組み付けられた空気入りタイヤ10が所定位置に装着される。
【００１３】
車両1は、都市内での人や物などの輸送に主眼を置いた新たな小型シャトルバスに属する。本実施形態では、新たな小型シャトルバスとは、全長が4m〜7m、全幅2m程度であり、車両総重量が3t前後である車両を想定する。但し、サイズ及び車両総重量は、必ずしも当該範囲に限定されず、多少であれば、当該範囲から外れても構わない。
【００１４】
また、小型シャトルバスは、必ずしも人の輸送に限らず、物の輸送、移動店舗、移動オフィスなどとして用いられてもよい。
【００１５】
さらに、小型シャトルバスは、都市内での人や物などの輸送に主眼が置かれているため、比較的低い走行速度レンジ（最高速度70km/h以下、平均速度50km/h程度）を想定する。
このため、ハイドロプレーニング対策は重視されなくても構わない。
【００１６】
本実施形態では、車両1は、自動運転機能（レベル４以上を想定）を備えた電気自動車であることを前提とするが、自動運転機能は必須ではなく、また、電気自動車でなくても構わない。
【００１７】
車両1が電気自動車である場合、インホイールモーター（不図示）をパワーユニットとして用いられることが好ましい。インホイールモーターは、ユニット全体がリムホイール100の内側空間に設けられてもよいし、ユニットの一部がリムホイール100の内側空間に設けられてもよい。
【００１８】
また、インホイールモーターを用いる場合、車両1は、各車輪が独立して操舵が可能な独立操舵機能を備えることが好ましい。これにより、その場での転回、及び横方向への移動が可能となるとともに、動力伝達機構が不要となるため、車両1のスペース効率を向上し得る。
【００１９】
このように、車両1では、高いスペース効率が要求される。このため、空気入りタイヤ10は、極力小径であることが好ましい。
【００２０】
一方、車両サイズ及び用途に応じた相応の車両総重量となる車両1に装着されるため、高い耐荷重能力（最大負荷能力）が要求される。
【００２１】
空気入りタイヤ10は、このような要件を満たすべく、タイヤ外径OD（図１において不図示、図２参照）を小さくしつつ、車両1の車両総重量に対応した耐荷重能力を有する。
【００２２】
また、車両1がインホイールモーター及び独立操舵機能を備える場合、応答性向上の観点からは空気入りタイヤ10の偏平率は低いことが好ましく、インホイールモーターなどの収容スペースを考慮すると、空気入りタイヤ10のリム径RD（図１において不図示、図２参照）は、大きいことが好ましい。
【００２３】
（２）空気入りタイヤの構成
図２は、空気入りタイヤ10及びリムホイール100の断面図である。具体的には、図２は、リムホイール100に組み付けられた空気入りタイヤ10のタイヤ幅方向及びタイヤ径方向に沿った断面図である。なお、図２では、断面のハッチング表示は、省略されている（図３以降も同様）。
【００２４】
空気入りタイヤ10は、比較的小径である一方、幅広である。具体的には、リムホイール100の径であるリム径RDは、12インチ以上、17.5インチ以下であることが好ましい。但し、リム径RDは、他の数値範囲を満たすのであれば、10インチ以上、22インチ以下であってもよい。
【００２５】
図２に示すように、リム径RDは、リムホイール100のリム本体部分の外径であり、リムフランジ110の部分は含まない。
【００２６】
また、空気入りタイヤ10のタイヤ幅SWは、125mm以上、255mm以下であることが好ましい。図２に示すように、タイヤ幅SWは、空気入りタイヤ10の断面幅を意味し、空気入りタイヤ10がリムガード（不図示）を備える場合、リムガード部分は含まれない。
【００２７】
さらに、空気入りタイヤ10の偏平率は、35%以上、75%以下であることが好ましい。なお、偏平率は、式１を用いて算出される。
【００２８】
偏平率（%）＝タイヤ断面高さH／タイヤ幅SW（断面幅）×100  …（式１）
空気入りタイヤ10の外径であるタイヤ外径ODは、350mm以上、600mm以下である。なお、タイヤ外径ODは、500mm以下であることが好ましい。
【００２９】
タイヤ外径ODがこのようなサイズであって、空気入りタイヤ10に組み付けられるリムホイール100のリム幅をリム幅RWとした場合、空気入りタイヤ10は、（式２）及び（式３）の関係を満たす。
【００３０】
0.78≦RW/SW≦0.99  …（式２）
0.56≦RD/OD≦0.75  …（式３）
なお、空気入りタイヤ10は、0.78≦RW/SW≦0.98を満たすことが好ましく、0.78≦RW/SW≦0.95を満たすことがより好ましい。また、空気入りタイヤ10は、0.56≦RD/OD≦0.72を満たすことが好ましく、0.56≦RD/OD≦0.71を満たすことがより好ましい。
【００３１】
このような関係を満たす空気入りタイヤ10は、小径でありながら、車両1の車両総重量を支持するために必要なエアボリュームを確保し得る。具体的には、エアボリュームは、荷重支持性能を考慮すると20,000cm3以上必要である。また、省スペース化を考慮すると80,000cm3以下であることが必要である。
【００３２】
なお、上述の関係を満たすのであれば、リム幅RWは、特に限定されないが、エアボリュームを確保する観点からは、なるべく広いことが好ましい。例えば、リム幅は、3.8〜7.8Jとすることができる。
【００３３】
また、同じくエアボリュームを確保する観点からは、タイヤ外径ODに対するリム径RDの比率が小さい、つまり、偏平率が高いことが好ましい。但し、上述したように、応答性の観点からは偏平率が低いことが好ましく、また、インホイールモーターなどの収容スペースを考慮すると、リム径RDは大きいことが好ましいため、偏平率及びリム径RDは、エアボリュームと、応答性及びインホイールモーターなどの収容スペースとにおいてトレードオフの関係となる。
【００３４】
空気入りタイヤ10としての好適なサイズの一例としては、205/40R15が挙げられる。また適合リム幅は、7.5J程度である。なお、好適なサイズの他の例としては、215/45R12が挙げられる。この場合、適合リム幅は、7.0J程度である。
【００３５】
さらに、特に限定されないが、空気入りタイヤ10の設定内圧（正規内圧）は、400〜1,100kPa、現実的には、500〜900kPaを想定する。なお、正規内圧とは、例えば、日本ではJATMA（日本自動車タイヤ協会）のYearBookにおける最大負荷能力に対応する空気圧であり、欧州ではETRTO、米国ではTRA、その他各国のタイヤ規格が対応する。
【００３６】
また、空気入りタイヤ10が負担する荷重は、500〜1,500kgf、現実的には、900kgf程度を想定する。
【００３７】
図３は、空気入りタイヤ10の単体断面図である。具体的には、図３は、空気入りタイヤ10のタイヤ幅方向及びタイヤ径方向に沿った断面図である。
【００３８】
図３に示すように、空気入りタイヤ10は、トレッド20、タイヤサイド部30、カーカス40、ベルト層50及びビード部60を備える。
【００３９】
トレッド20は、路面と接する部分である。トレッド20には、空気入りタイヤ10の使用環境や装着される車両の種別に応じたパターン（不図示）が形成される。
【００４０】
タイヤサイド部30は、トレッド20に連なり、トレッド20のタイヤ径方向内側に位置する。タイヤサイド部30は、トレッド20のタイヤ幅方向外側端からビード部60の上端までの領域である。タイヤサイド部30は、サイドウォールなどと呼ばれることもある。
【００４１】
カーカス40は、空気入りタイヤ10の骨格を形成する。カーカス40は、タイヤ径方向に沿って放射状に配置されたカーカスコード（不図示）がゴム材料によって被覆されたラジアル構造である。但し、ラジアル構造に限定されず、カーカスコードがタイヤ径方向に交錯するように配置されたバイアス構造でも構わない。
【００４２】
ベルト層50は、トレッド20のタイヤ径方向内側に設けられる。本実施形態では、ベルト層50は、３ベルト構成であるが、４ベルト構成でもよい。具体的には、ベルト層50は、コードが交錯する一対の交錯ベルト含む。このようなベルト層50の構成は、一般的なトラック・バス用タイヤのベルト層の構成と概ね同様である。
【００４３】
ビード部60は、タイヤサイド部30に連なり、タイヤサイド部30のタイヤ径方向内側に位置する。ビード部60は、タイヤ周方向に延びる円環状であり、ビード部60を介してカーカス40がタイヤ幅方向内側からタイヤ幅方向外側に折り返されている。
【００４４】
なお、ビード部60には、ビードコアのタイヤ径方向外側にビードフィラーが設けられてもよいし、ビード部60で折り返されているカーカス40などがリムホイール100と擦れて摩耗することを防止するチェーファーが設けられてもよい。
【００４５】
（３）作用・効果
次に、上述した空気入りタイヤ10の作用・効果について説明する。図４は、タイヤ形状（タイヤ外径OD及びタイヤ幅SW）と、リムホイール形状（リム径RD及びリム幅RW）との組合せに基づく典型的なタイヤサイズのポジショニングを示す図である。
【００４６】
具体的には、図４に示すグラフの横軸は、リム幅RWとタイヤ幅SWとの比率（RW/SW）を示し、縦軸は、リム径RDとタイヤ外径ODとの比率（RD/OD）を示す。図４では、RW/SW及びRD/ODの値に従って、典型的なタイヤサイズのポジションがプロットされている。
【００４７】
図４に示すように、トラック・バス用タイヤの領域は、RW/SW及びRD/OD共に低い。乗用車または小型トラック用タイヤの領域は、RW/SW及びRD/OD共に、トラック・バス用タイヤよりも高い。
【００４８】
上述した空気入りタイヤ10としての好適なサイズの一例である215/45R12は、領域A1に含まれる。領域A1は、上述したように、0.78≦RW/SW≦0.99であり、0.56≦RD/OD≦0.75の範囲である。このような領域A1は、上述した車両1のように、都市内での人や物などの輸送に主眼を置いた新小型シャトルバス用タイヤの領域と位置付けられる。
【００４９】
新小型シャトルバス用タイヤの領域のRD/ODは、乗用車または小型トラック用タイヤの領域のRD/ODと大きく変わらず、一部は重複している。一方、新小型シャトルバス用タイヤの領域のRW/SWは、乗用車または小型トラック用タイヤの領域のRW/SWよりも高い。
【００５０】
上述したように、空気入りタイヤ10のタイヤ外径ODは、350mm以上、600mm以下である。このため、車両1のサイズと比較して十分に小径であり、車両1の省スペース化に貢献し得る。
【００５１】
また、領域A1に含まれるサイズの空気入りタイヤ10によれば、0.78≦RW/SW≦0.99の関係を満たすため、タイヤ幅SWに対するリム幅RWが広く、つまり、幅広のタイヤを構成でき、高い耐荷重能力を発揮するために必要なエアボリュームを確保し易い。なお、リム幅RWが広くなり過ぎると、タイヤ幅SWも広がりスペース効率が低下するとともに、ビード部60がリムホイール100から外れやすくなる。
【００５２】
さらに、領域A1に含まれるサイズの空気入りタイヤ10によれば、0.56≦RD/OD≦0.75の関係を満たすため、タイヤ外径ODに対するリム径RDが大きく、インホイールモーターなどの収容スペースを確保し易い。なお、リム径RDが小さくなり過ぎると、ディスクブレーキまたはドラムブレーキの径サイズが小さくなる。このため、有効なブレーキの接触面積が小さくなり、必要な制動性能の確保が難しくなる。
【００５３】
すなわち、空気入りタイヤ10によれば、新たな小型シャトルバスなどに装着される場合において、さらに高い耐荷重能力を有しつつ、高いスペース効率を達成し得る。
【００５４】
空気入りタイヤ10のリム径RDは、12インチ以上、17.5インチ以下であることが好ましい。これにより、小径を維持しつつ、必要十分なエアボリューム及びインホイールモーターなどの収容スペースを確保し得る。また、制動性能及び駆動性能も確保できる。
【００５５】
また、空気入りタイヤ10のタイヤ幅SWは、125mm以上、255mm以下であることが好ましい。さらに、空気入りタイヤ10の偏平率は、35%以上、75%以下であることが好ましい。これにより、必要十分なエアボリューム及びインホイールモーターなどの収容スペースを確保し得る。
【００５６】
（４）その他の実施形態
以上、実施例に沿って本発明の内容を説明したが、本発明はこれらの記載に限定されるものではなく、種々の変形及び改良が可能であることは、当業者には自明である。
【００５７】
例えば、空気入りタイヤ10の構成は、次のように変更してもよい。図５は、変更例に係る空気入りタイヤ10Aの断面図である。
【００５８】
図５に示すように、空気入りタイヤ10Aは、ベルト層50Aを備える。ベルト層50Aは、コアベルト51及びシースベスト52によって構成される。
【００５９】
コアベルト51は、トレッド20の一方のショルダー部26からトレッド20の他方のショルダー部27に亘って設けられる。ショルダー部26は、周方向主溝21よりもタイヤ幅方向外側の領域であり、ショルダー部27は、周方向主溝22よりもタイヤ幅方向外側の領域である。つまり、ショルダー部26及びショルダー部27は、最もタイヤ幅方向外側に形成されている周方向主溝よりもタイヤ幅方向外側の領域である。
【００６０】
コアベルト51は、タイヤ幅方向に対して低角度で傾斜したベルトコード51a（図５において不図示、図６Ａ参照）をゴム被覆したベルトである。シースベスト52は、コードを含むテープ状のベルトであり、コアベルト51の全周に亘って巻き付けられる。ベルト層50Aは、交錯ベルト層と同様の機能を提供する。
【００６１】
また、空気入りタイヤ10Aは、ビード部60において折り返されたカーカス40の折り返し端部41は、ビードコア61に沿って巻き付けられるように設けられている。折り返し端部41は、ビードコア61のタイヤ径方向外側端に接している。なお、図５では図示されていないが、ビード部60には、ビードフィラーが設けられてもよい。
【００６２】
図６Ａ及び図６Ｂは、ベルト層50Aの構成を示す。具体的には、図６Ａは、製造途中におけるベルト層50Aの単体斜視図であり、図６Ｂは、製造後におけるベルト層50Aの単体斜視図である。
【００６３】
図６Ａに示すように、コアベルト51は、タイヤ幅方向に沿って配置されたベルトコード51aを有する。コアベルト51は、複数のベルトコード51aをゴム被覆することによって形成された円環状のベルトである。
【００６４】
なお、ベルトコード51aは、図６Ａに示すように、タイヤ幅方向に対して多少傾斜していることが好ましい。具体的には、ベルトコード51aは、シースベスト52の傾斜方向と同一方向（図６Ａでは左上がり）に傾斜していることが好ましい。
【００６５】
シースベスト52は、幅が1cm程度のテープ状のベルトであり、タイヤ周方向に沿って螺旋状にコアベルト51に巻き回される。具体的には、シースベスト52は、シースベスト52の幅以上の所定距離を隔ててタイヤ周方向に沿って螺旋状にコアベルト51に巻き回される。
【００６６】
シースベスト52が、隣接するシースベスト52と重複しないようにタイヤ周方向において複数周回に亘って巻き回されることによって、コアベルト51のタイヤ径方向外側面、及びコアベルト51のタイヤ径方向内側面を覆う。
【００６７】
また、テープ状であるシースベスト52の長手方向の端部（不図示）は、ショルダー部26, 27、及びセンター領域（タイヤ赤道線直下）には位置しないようにコアベルト51に巻き回される。
【００６８】
シースベスト52は、図６Ｂに示すように、円環状のコアベルト51の全周に亘って巻き付けられる。
【００６９】
また、本変更例では、ベルト層50Aは、コアベルト51及びシースベスト52のみによって構成される。上述したように、ベルト層50Aは、交錯ベルト層と同様の機能を提供するが、本実施形態では、コアベルト51及びシースベスト52以外に、補強ベルトなどの追加のベルトは設けられていない。
【００７０】
コアベルト51におけるベルトコード51aの打ち込み本数は、15本/50mm以上、30本/50mm以下であることが好ましい。また、シースベスト52におけるコードの打ち込み本数は、10本/50mm以上、25本/50mm以下であることが好ましい。また、ベルトコード51aの打ち込み本数は、シースベスト52におけるコードの打ち込み本数よりも多い（つまり、密）なことが好ましい。
【００７１】
ベルトコード51aがタイヤ幅方向と成す角度は、20度以上、60度以下であることが好ましい。シースベスト52のコードがタイヤ幅方向と成す角度は、50度以上、80度以下であることが好ましい。また、シースベスト52のコードがタイヤ幅方向と成す角度は、ベルトコード51aがタイヤ幅方向と成す角度よりも大きいことが好ましい。
【００７２】
シースベスト52のタイヤ周方向における折り返し回数は、性能確保及び生産性を考慮すると、３回以上、６回以下であることが好ましい。
【００７３】
図７は、空気入りタイヤ10Aに備えられるカーカス40の一部斜視図である。図７に示すように、カーカス40は、タイヤ幅方向に沿って配置されたカーカスコード40aを有する。
【００７４】
具体的には、タイヤ幅方向に沿って配置された複数のカーカスコード40aは、ゴム材料によって被覆されている。
【００７５】
カーカスコード40aは、金属製のフィラメントが撚られることによって形成される。具体的には、カーカスコード40aは、スチールのフィラメントによって形成される。
【００７６】
図８は、カーカスコード40aの断面形状を模式的に示す。図８に示すように、カーカスコード40aは、複数のフィラメントFL1、及び複数のフィラメントFL2が撚られることによって形成される。具体的には、カーカスコード40aは、2本のフィラメントFL1と、6本のフィラメントFL2とによって形成される。
【００７７】
カーカスコード40aは、小径な空気入りタイヤ10のビード部60の形状に追従し易いように、一般的なカーカスコードよりも外径が細い。具体的には、カーカスコード40aの外径は、0.7mm以下である。なお、カーカスコード40aの外径は、0.6mm以下がより好ましい。
【００７８】
また、このようなカーカスコード40aを形成するフィラメントFL1及びフィラメントFL2の外径は、0.2mm以下であることが好ましい。
【００７９】
本実施形態では、フィラメントFL1の外径が0.15mm、及びフィラメントFL2の外径が0.175mmである。
【００８０】
また、隣接するカーカスコード40aの間隔G（図７参照）は、4.0mm以下である。具体的には、間隔Gは、タイヤ周方向において隣接するカーカスコード40aの外周面間の距離である。
【００８１】
なお、間隔Gは、3.5mm以下がより好ましく、3.0mm以下がさらに好ましい。また、間隔Gは0.5mm以上が好ましいが、1.0mm以上、さらには1.5mm以上とすることがより好ましい。
なお、間隔Gは、タイヤ赤道線CL（図５参照）直下において隣接するカーカスコード40a間の距離である。
【００８２】
図９は、他の変更例に係る空気入りタイヤ10Bの断面図である。図９に示すように、空気入りタイヤ10Bは、ベルト層50Bを備える。ベルト層50Bは、樹脂材料によって被覆された樹脂被覆コードをタイヤ周方向に沿って巻き回すことによって形成されたスパイラルベルトである。
【００８３】
空気入りタイヤ10A及び空気入りタイヤ10Bのように、ベルト層の構成及びカーカス40の折り返し端部41の形状は、車両1の特性などに応じて適宜変更されても構わない。
【００８４】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【符号の説明】
【００８５】
1  車両
10, 10A, 10B  空気入りタイヤ
20  トレッド
21, 22  周方向主溝
26, 27  ショルダー部
30  タイヤサイド部
40  カーカス
40a  カーカスコード
41  折り返し端部
50, 50A, 50B  ベルト層
51  コアベルト
51a  ベルトコード
52  シースベスト
60  ビード部
61  ビードコア
100  リムホイール
110  リムフランジ
【図１】
2020122169.tif 000003
【図２】
2020122169.tif 000004
【図３】
2020122169.tif 000005
【図４】
2020122169.tif 000006
【図５】
2020122169.tif 000007
【図６Ａ】
2020122169.tif 000008
【図６Ｂ】
2020122169.tif 000009
【図７】
2020122169.tif 000010
【図８】
2020122169.tif 000011
【図９】
2020122169.tif 000012
【国際調査報告】
2020122169.tif 000013
2020122169.tif 000014
2020122169.tif 000015
2020122169.tif 000016